(57)【要約】    【課題】  簡単な構成で且つ安価に、結像光学系の倍率色収差を効果的に補正し、さらには軸上色収差をも考慮して、どのような色収差を有する結像光学系についても良好に色ずれを補正する。    【解決手段】  カラー原稿読取装置は、原稿配置面に配置された原稿面を照明する照明光源と、前記照明光源による照明光の前記原稿面における反射光により、原稿像を結像する結像レンズと、前記結像レンズによる原稿像の結像位置に配置され、各々一方向に受光素子を配列してなり、それぞれ異なる波長に感度を有する３列のラインセンサＲＬ，ＧＬ，ＢＬを備えるセンサユニットＳＵと、原稿と結像レンズＩＬの光路中に配置された少なくとも１つの折り返しミラーとを具備する。センサユニットＳＵの傾斜角を調整することにより各ラインセンサＲＬ，ＧＬ，ＢＬの倍率色収差による結像位置ずれを補正する。【選択図】    図１
2006222917.tif 000002
【特許請求の範囲】
【請求項１】
原稿配置面に配置された原稿面を照明する照明光源と、
前記照明光源による照明光の前記原稿面における反射光により、原稿像を結像する結像レンズと、
前記結像レンズによる原稿像の結像位置に配置され、各々一方向に受光素子を配列してなり、それぞれ異なる波長に感度を有する３列のラインセンサを備えるセンサユニットと、
原稿と結像レンズの光路中に配置された少なくとも１つの折り返しミラーと、
を具備するカラー原稿読取装置において、
前記センサユニットの傾斜角を調整することにより各ラインセンサの倍率色収差による結像位置ずれを補正してなることを特徴とするカラー原稿読取装置。
【請求項２】
それぞれ各ラインセンサ間で共通の像高位置に対応する複数箇所にて観測された特性値を用い、該特性値を演算処理した値が所望の値となるように前記センサユニットの傾斜角を決定することを特徴とする請求項１に記載のカラー原稿読取装置。
【請求項３】
前記特性値は、原稿面にほぼ相当する位置に配置された線画等の画像から導出される重心位置に対応する値であることを特徴とする請求項２に記載のカラー原稿読取装置。
【請求項４】
画素ピッチをＰとし、各観測点における特性値の３つのラインセンサでの最大値−３つのラインセンサでの最小値をΔｉとし、全観測点でのΔｉの最大値Δmaxが、
Δmax＜Ｐ
であることを特徴とする請求項２に記載のカラー原稿読取装置。
【請求項５】
光軸の方向は、結像レンズからセンサユニットに向かう方向を正とし、センサユニット上の結像位置ずれの方向は、結像レンズの光軸とセンサユニットが交わる点を基準点として、像高の絶対値が高い方向を正としたとき、
前記結像レンズによる各ラインセンサでの結像位置は、両端のラインセンサのうち、少なくとも一方のラインセンサの結像位置は、中央のラインセンサの結像位置に対し、各々の感度波長の倍率色収差により像高方向にずれる方向と、各々の感度波長の軸上色収差により光軸の方向にずれる方向とが逆符号であることを特徴とする請求項１に記載のカラー原稿読取装置。
【請求項６】
前記結像レンズは、レンズ材料として、鉛を使用しない硝材を使用して構成したことを特徴とする請求項１〜５のいずれか１項に記載のカラー原稿読取装置。
【請求項７】
波長感度の異なる３つのラインセンサの配列の順序を、倍率色収差による結像位置の大小関係に対応させてなることを特徴とする請求項１〜６のいずれか１項に記載のカラー原稿読取装置。
【請求項８】
波長感度の異なる３つのラインセンサの間隔を非対称としてなることを特徴とする請求項１〜３のいずれか１項に記載のカラー原稿読取装置。
【請求項９】
原稿読取装置として請求項１〜請求項８に記載のカラー原稿読取装置を用いることを特徴とするカラー画像形成装置。
【発明の詳細な説明】
【技術分野】
【０００１】
本発明は、光学系を走査して原稿を読み取るイメージスキャナ等の原稿読取装置に係り、特に、ディジタル複写機およびディジタルファクシミリ等におけるカラー原稿の読み取りに用いるカラー原稿読取装置およびカラー画像形成装置に関するものである。
【背景技術】
【０００２】
ファクシミリやディジタル複写機の原稿読み取り部やイメ−ジスキャナにおいては、読み取るべき原稿の画像情報を原稿読取レンズで縮小して、ＣＣＤ（電荷結合素子）のような素子を用いて光電変換を行うラインセンサ上に結像させて、原稿の画像情報を電気信号化する。また、原稿の画像情報をカラーで読み取るために、例えば赤色、緑色および青色のフィルタを有するラインセンサを１チップに３列に配列した、いわゆる３ラインＣＣＤラインセンサを用い、この受光面に原稿の像を結像させることにより３原色に色分解し、カラー画像情報を信号化する光学系が広く用いられている。
このような原稿読取装置は、原稿の読取ライン上の同一点から出た光が、前記結像レンズの倍率色収差によって各ラインセンサ上の同一点には結像せず、このため読み取った原稿に色ずれが発生する。高解像度化および高画質化に伴い、ＣＣＤの画素ピッチが小さくなるにつれ、従来よりも倍率色収差による色ずれの問題が大きくなってきた。
【０００３】
これを補正する方法の一例が特許文献１（特許３３１４８７８号公報）等に開示されている。この特許文献１の方法は、ＣＣＤを傾けて赤色に対応するラインセンサを結像レンズ側に近づけ、青色に対応するラインセンサを結像レンズから遠ざけるようにしている。しかしながら、結像レンズは、必ずしも赤色が倍率色収差により遠くに結像しているわけではないため、赤色に対応したセンサを結像レンズに近付けても収差補正が成立しない場合がある。また、倍率の色収差が像高に対して正比例するわけではなく、例えば、図２２は、ある結像レンズにおける倍率色収差を示しており、緑色に対する赤色の結像位置ずれ、緑色に対する青色の結像位置ずれを示している。図２２のような倍率色収差の結像レンズの場合、補正する位置、例えば単に図示Ａ点において色収差が最小となるように補正してしまうと、像高方向の端部ではかえって補正前よりも色収差が悪くなってしまう。
また、像面をずらすため本来の結像レンズの結像性能が得られなくなってしまうことから、あらゆるレンズで上述した特許文献１を適用することが可能であるわけではないと思われるが、このことについては、かならずしも充分に説明されていない。
【０００４】
また、特許文献２（特開平４−６５９６５号公報）にも、異なる色情報を読み取る複数のラインセンサを組み付けた光電変換素子を用いて、結像光学系の色収差に応じて、前記光電変換素子を傾けるとともに組み付け配置を決定することが示されている。但し、この特許文献２にも調整方法については具体的に説明されてはいない。
一方、特許文献３（特開平９−２３０５１３号公報）には、光学系のミラーの表面と裏面の反射を利用して軸上の色収差を補正する技術が開示されている。しかしながら、この特許文献３の技術では倍率の色収差については、補正することができない。また、特許文献４（特開２００１−２５１４７５号公報）には、光路長を変化させて軸上の色収差を補正する技術が開示されているが、この特許文献４の場合には、光路長を変化させるための特別な部材が別途に必要となって、しかも倍率の色収差は補正することができない。
さらに、特許文献５（特開平７−２２６８２５号公報）、特許文献６（特開平８−９１０１号公報）および特許文献７（特開平８−２２３３５６号公報）等には、色収差の補正に関連するその他の各種の技術が開示されている。特許文献５には、読取結像光学系にテレセントリック性を持たせてＣＣＤに光束を垂直に入射させることで、ＣＣＤを短手方向に傾けても倍率の色収差を変化させないようにして、各色のピント位置を調整できるようにすることが示されている。
【０００５】
このように読取光学系をテレセントリックにするためには、光学系の外形、特に絞りから像面に至る部分の外形が大きくなり、光学系の大幅なコストアップも招く。特許文献６には、多重ダイクロイックミラーを用いて軸上の色収差を補正することが示されている。多重ダイクロイックミラーという特殊な部品を追加する必要があり、しかもこのダイクロイックミラーが結像面の近傍に配置されるためミラーの面精度を極めて高くしなければならず、大幅なコストアップとなる。特許文献７には、複数色のセンサ画素を所定の繰り返し順序で配列して各色に分解するカラーリニアイメージセンサを用いて、画像処理により倍率の色収差を補正することが示されている。この場合、特殊なセンサおよび画像処理が必要となり、大幅なコストアップとなり、しかも倍率の色収差がレンズ毎にばらついた場合に対応することができず、軸上の色収差を補正することもできない。
【０００６】
【特許文献１】特許３３１４８７８号公報
【特許文献２】特開平４−６５９６５号公報
【特許文献３】特開平９−２３０５１３号公報
【特許文献４】特開２００１−２５１４７５号公報
【特許文献５】特開平７−２２６８２５号公報
【特許文献６】特開平８−９１０１号公報
【特許文献７】特開平８−２２３３５６号公報
【発明の開示】
【発明が解決しようとする課題】
【０００７】
本発明は、上述した事情に鑑みてなされたもので、簡単な構成で且つ安価に、結像光学系の倍率色収差を効果的に補正し、さらには軸上色収差をも考慮し得て、どのような色収差を有する結像光学系についても良好に色ずれを補正することを可能とするカラー原稿読取装置およびカラー画像形成装置を提供することを目的としている。
本発明の請求項１の目的は、特に、色ずれを良好に補正し得るカラー原稿読取装置を提供することにある。
本発明の請求項２の目的は、特に、色ずれを良好に補正しながら、良好に組み付けを行うことが可能なカラー原稿読取装置を提供することにある。
本発明の請求項３の目的は、特に、組み付けに際して容易に色ずれの量を測定することを可能とするカラー原稿読取装置を提供することにある。
本発明の請求項４の目的は、特に、組み付けに際して、必要充分な色ずれの量を規定することが可能なカラー原稿読取装置を提供することにある。
本発明の請求項５の目的は、特に、良好に色ずれ補正を行うことを可能とする結像レンズの倍率色収差と軸上色収差の関係を把握することが可能なカラー原稿読取装置を提供することにある。
【０００８】
本発明の請求項６の目的は、特に、廃棄による土壌汚染等を防止してリサイクル性を向上し地球環境の保護に寄与し得るカラー原稿読取装置を提供することにある。
本発明の請求項７の目的は、特に、結像レンズの倍率色収差を一層適切に補正し色ずれをきわめて効果的に低減し得るカラー原稿読取装置を提供することにある。
本発明の請求項８の目的は、特に、結像レンズの倍率色収差をより一層効果的に補正し色ずれを著しく低減し得るカラー原稿読取装置を提供することにある。
本発明の請求項９の目的は、特に、色ずれを良好に補正したカラー画像を出力することを可能とするカラー画像形成装置を提供することにある。
【課題を解決するための手段】
【０００９】
請求項１に記載した本発明に係るカラー原稿読取装置は、上述した目的を達成するために、
原稿配置面に配置された原稿面を照明する照明光源と、
前記照明光源による照明光の前記原稿面における反射光により、原稿像を結像する結像レンズと、
前記結像レンズによる原稿像の結像位置に配置され、各々一方向に受光素子を配列してなり、それぞれ異なる波長に感度を有する３列のラインセンサを備えるセンサユニットと、
原稿と結像レンズの光路中に配置された少なくとも１つの折り返しミラーと、
を具備するカラー原稿読取装置において、
前記センサユニットの傾斜角を調整することにより各ラインセンサの倍率色収差による結像位置ずれを補正してなることを特徴としている。
【００１０】
請求項２に記載した本発明に係るカラー原稿読取装置は、請求項１のカラー原稿読取装置であって、
それぞれ各ラインセンサ間で共通の像高位置に対応する複数箇所にて観測された特性値を用い、該特性値を演算処理した値が所望の値となるように前記センサユニットの傾斜角を決定することを特徴としている。
【００１１】
請求項３に記載した本発明に係るカラー原稿読取装置は、請求項２のカラー原稿読取装置であって、
前記特性値は、原稿面にほぼ相当する位置に配置された線画等の画像から導出される重心位置に対応する値であることを特徴としている。
請求項４に記載した本発明に係るカラー原稿読取装置は、請求項２のカラー原稿読取装置であって、
画素ピッチをＰとし、各観測点における特性値の３つのラインセンサでの最大値−３つのラインセンサでの最小値をΔｉとし、全観測点でのΔｉの最大値Δmaxが、
Δmax＜Ｐ
であることを特徴としている。
請求項５に記載した本発明に係るカラー原稿読取装置は、請求項１のカラー原稿読取装置であって、
光軸の方向は、結像レンズからセンサユニットに向かう方向を正とし、センサユニット上の結像位置ずれの方向は、結像レンズの光軸とセンサユニットが交わる点を基準点として、像高の絶対値が高い方向を正としたとき、
前記結像レンズによる各ラインセンサでの結像位置は、両端のラインセンサのうち、少なくとも一方のラインセンサの結像位置は、中央のラインセンサの結像位置に対し、各々の感度波長の倍率色収差により像高方向にずれる方向と、各々の感度波長の軸上色収差により光軸の方向にずれる方向とが逆符号であることを特徴としている。
【００１２】
請求項６に記載した本発明に係るカラー原稿読取装置は、請求項１〜５のいずれか１項のカラー原稿読取装置であって、
前記結像レンズは、レンズ材料として、鉛を使用しない硝材を使用して構成したことを特徴としている。
請求項７に記載した本発明に係るカラー原稿読取装置は、請求項１〜６のいずれか１項のカラー原稿読取装置であって、
波長感度の異なる３つのラインセンサの配列の順序を、倍率色収差による結像位置の大小関係に対応させてなることを特徴としている。
請求項８に記載した本発明に係るカラー原稿読取装置は、請求項１〜３のいずれか１項のカラー原稿読取装置であって、
波長感度の異なる３つのラインセンサの間隔を非対称としてなることを特徴としている。
請求項９に記載した本発明に係るカラー画像形成装置は、
原稿読取装置として請求項１〜請求項８に記載のカラー原稿読取装置を用いることを特徴としている。
【発明の効果】
【００１３】
本発明によれば、簡単な構成で且つ安価に、結像光学系の倍率色収差を効果的に補正し、さらには軸上色収差をも考慮し得て、どのような色収差を有する結像光学系についても良好に色ずれを補正することを可能とするカラー原稿読取装置およびカラー画像形成装置を提供することができる。
すなわち本発明の請求項１のカラー原稿読取装置によれば、原稿配置面に配置された原稿面を照明する照明光源と、前記照明光源による照明光の前記原稿面における反射光により、原稿像を結像する結像レンズと、前記結像レンズによる原稿像の結像位置に配置され、各々一方向に受光素子を配列してなり、それぞれ異なる波長に感度を有する３列のラインセンサを備えるセンサユニットと、原稿と結像レンズの光路中に配置された少なくとも１つの折り返しミラーと、を具備するカラー原稿読取装置において、
前記センサユニットの傾斜角を調整することにより各ラインセンサの倍率色収差による結像位置ずれを補正してなることにより、簡単な構成で且つ安価に、結像光学系の倍率色収差を効果的に補正し、さらに軸上色収差を考慮し得て、どのような色収差を有する結像光学系についても良好に色ずれを補正することが可能となる。
【００１４】
また、本発明の請求項２のカラー原稿読取装置によれば、請求項１のカラー原稿読取装置において、それぞれ各ラインセンサ間で共通の像高位置に対応する複数箇所にて観測された特性値を用い、該特性値を演算処理した値が所望の値となるように前記センサユニットの傾斜角を決定することにより、特に、色ずれを良好に補正しながら、良好に組み付けを行うことが可能となる。
本発明の請求項３のカラー原稿読取装置によれば、請求項２のカラー原稿読取装置において、前記特性値は、原稿面にほぼ相当する位置に配置された線画等の画像から導出される重心位置に対応する値とすることにより、特に、組み付けに際して容易に色ずれの量を測定することが可能となる。
本発明の請求項４のカラー原稿読取装置によれば、請求項２のカラー原稿読取装置において、画素ピッチをＰとし、各観測点における特性値の３つのラインセンサでの最大値−３つのラインセンサでの最小値をΔｉとして、全観測点でのΔｉの最大値Δmaxを、
Δmax＜Ｐ
とすることにより、特に、組み付けに際して、必要充分な色ずれの量を規定することが可能となる。
【００１５】
本発明の請求項５のカラー原稿読取装置によれば、請求項１のカラー原稿読取装置において、光軸の方向は、結像レンズからセンサユニットに向かう方向を正とし、センサユニット上の結像位置ずれの方向は、結像レンズの光軸とセンサユニットが交わる点を基準点として、像高の絶対値が高い方向を正としたとき、
前記結像レンズによる各ラインセンサの結像位置は、両端のラインセンサのうち、少なくとも一方のラインセンサの結像位置は、中央のラインセンサの結像位置に対し、各々の感度波長の倍率色収差により像高方向にずれる方向と、各々の感度波長の軸上色収差により光軸の方向にずれる方向とが逆符号になるようにすることにより、特に、良好に色ずれ補正を行うことを可能とする結像レンズの倍率色収差と軸上色収差の関係を把握することが可能となる。
本発明の請求項６のカラー原稿読取装置によれば、請求項１〜５のいずれか１項のカラー原稿読取装置において、前記結像レンズは、レンズ材料として、鉛を使用しない硝材を使用して構成することにより、特に、廃棄による土壌汚染等を防止してリサイクル性を向上し地球環境の保護に寄与し得る。
本発明の請求項７のカラー原稿読取装置によれば、請求項１〜６のいずれか１項のカラー原稿読取装置において、波長感度の異なる３つのラインセンサの配列の順序を、倍率色収差による結像位置の大小関係に対応させてなることにより、特に、結像レンズの倍率色収差を一層適切に補正し色ずれをきわめて効果的に低減し得る。
【００１６】
本発明の請求項８のカラー原稿読取装置によれば、請求項１〜３のいずれか１項のカラー原稿読取装置において、波長感度の異なる３つのラインセンサの間隔を非対称としてなることにより、特に、結像レンズの倍率色収差をより一層効果的に補正し色ずれを著しく低減し得る。
また、本発明の請求項９のカラー画像形成装置によれば、原稿読取装置として請求項１〜請求項８に記載のカラー原稿読取装置を用いることにより、簡単な構成で且つ安価に、結像光学系の倍率色収差を効果的に補正し、さらには軸上色収差をも考慮し得て、どのような色収差を有する結像光学系についても良好に色ずれを補正することが可能となる。
【発明を実施するための最良の形態】
【００１７】
まず、本発明の具体的な実施の形態を説明する前にカラー原稿読取装置における本発明による色収差補正の原理について説明する。
特定の像高のみについての補正では、良好に倍率色収差を補正することができないことは既に述べた。これは、結像レンズの倍率の色収差は、物体高と像高との関係で定まるが、像高が変化すると、それに伴って縮率が変化するためである。
以下、図２３を参照して本発明に係る色ずれの補正方法を具体的に説明する。
色ずれを補正する基準原稿ＲＭを原稿面と等しい位置に配置する。基準原稿ＲＭは、任意の位置に色ずれを補正するためのマークを配置している。例えば基準原稿ＲＭには、色ずれを補正するための線画を、最外周縁部を１．０として、±１．０、±０．９、±０．７５、±０．５および０の物体高に配置した画像を描画している。もちろん、マークの位置は、補正しようとしている結像レンズの倍率色収差に基づいて任意に選定してかまわない。
【００１８】
このような基準原稿ＲＭを照明し、結像レンズＩＬで、センサユニットＳＵに投影結像する。センサユニットＳＵは、図２４に示すように、赤色光に対応するラインセンサ（以下、「赤色ラインセンサ」と称する）ＲＬと、緑色光に対応するラインセンサ（以下、「緑色ラインセンサ」と称する）ＧＬと、青色光に対応するラインセンサ（以下「青色ラインセンサ」と称する）ＢＬとが、互いに平行に順次並設されて形成される。センサユニットＳＵは、基準原稿ＲＭのマークとしての線画の像を、各ラインセンサＲＬ、ＧＬ、ＢＬの該当位置で受光し、光電変換して、各ラインセンサＲＬ、ＧＬ、ＢＬから電気出力し、図示していないＡ／Ｄ変換器を介して、画像処理に供する。この画像処理においては、各ラインセンサＲＬ、ＧＬ、ＢＬで受光した線画の配列方向における重心を、各像高および各ラインセンサＲＬ、ＧＬ、ＢＬ毎に解析する。
ここで、任意の物体高に配置された線画像を読み取り、重心を求める方法の一例を説明する。
まず、ある物体高Ｙｉに配置された線画像の像は、センサユニットＳＵ上のＹｉ′（＝ｍ（横倍率）×Ｙｉ）近傍に形成される（図２５参照）。そこで、例えば緑色ラインセンサＧＬ上のＹｉ′近傍で、前記線画像の像が充分に評価できる範囲（Ｙｉ′‐Ａ〜Ｙｉ′＋Ａ）において、各画素の信号レベルＩを読み取った場合に図２６のようになるものとすれば、式（１）に示すように、各画素の信号レベルＩｊと画素番号Ｘｊの積の和を、Ｙｉ′近傍の信号レベルの和で割ることにより、線画像の像の重心位置を特定することができる。
【００１９】
【数１】
2006222917.tif 000003
【００２０】
赤色および青色についても、このような重心位置を、対応する各ラインセンサＲＬ、ＢＬ毎に評価することによって、各色毎の重心位置を求めることができる。なお、上述においては、画素の位置として画素番号を用いて計算しているが、各画素の位置を光軸からの距離に換算してもよい。このような重心位置から、次のようにして、各像高Ｙｉ′毎に色ずれ量ΔＲＧｉおよびΔＢＧｉを算出することができる。
すなわち、色ずれは、上述したラインセンサＲＬ、ＧＬ、ＢＬの出力を、各物体高の位置に対する像高位置において、
ΔＲＧｉ＝｜ＹＲｉ（赤色の像高）｜−｜ＹＧｉ（緑色の像高）｜
ΔＢＧｉ＝｜ＹＢｉ（青色の像高）｜−｜ＹＧｉ（緑色の像高）｜
（ｉ＝０，±０．５，±０．７５，±１．０）                     （２）
として表現できる。
そして、センサユニットＳＵを、各ラインセンサＲＬ、ＧＬ、ＢＬのラインに平行で且つ中央のラインセンサ上またはその近傍に位置する軸上で、色ずれ量ΔＲＧｉおよびΔＢＧｉのすべてが小さくなるように回転させることにより、原稿面全面において良好に色ずれ量を補正することができる。
【００２１】
図１および図２は、色ずれの補正のためのセンサユニットＳＵの回転についての説明図である。
例えば図１および図２に示すように各ラインセンサＲＬ、ＧＬ、ＢＬが配置されたセンサユニットＳＵにおいて、赤色の倍率色収差が、緑色に対して小さく（ΔＲＧの符号がマイナス（−））、青色の倍率色収差が緑色に対して大きい（ΔＢＧの符号がプラス（＋））場合、センサユニットＳＵを中央の緑色ラインセンサＧＬに軸上で図１に示す方向に回転させる。このようにセンサユニット（ＳＵ）をまわすと、赤色ラインセンサＲＬは結像レンズＩＬから離れて、任意像高での結像位置は、図２の○印から●印に移る。したがって、赤色の倍率色収差が、緑色の倍率色収差より小さい場合は、赤色ラインセンサにおける任意像高の結像位置は像高が高くなることにより、緑色ラインセンサ上の任意像高の結像位置に近づくことになる。また、青色のラインセンサＢＬでは、結像レンズＩＬに近づき、任意像高での結像位置が図２の△印から▲印に移る。したがって、青色の倍率色収差が、緑色の倍率色収差より大きい場合、青色ラインセンサにおける任意像高の結像位置は像高が低くなることにより、緑色ラインセンサ上の任意像高の結像位置に近づくことになり、色ずれを補正することができる。
図２２に示したような色ずれを有する結像レンズを用いた場合、図３に示す色ずれの最大値と最小値の間の間隔Δｍａｘが最も狭くなる位置が色ずれが最適に補正された位置ということになる。但し、同じ物体高からの光線が同じ像高に入射するようにすれば、色ずれは目立たなくなる。つまり、各ラインセンサＲＬ、ＧＬ、ＢＬ上の同じ像高のＣＣＤの画素に入ればよいので、先に示したΔｍａｘの値が図４の画素ピッチＰ、すなわち画素のサイズ、に対して、
Δｍａｘ＜Ｐ                                  （３）
であれば充分である。なお、上述においては、基準画像を線画としているが、点画像や、等ピッチの線画の集合体で重心を算出するようにしてもかまわない。
【００２２】
また、上述においては、結像レンズＩＬと、センサユニットＳＵとを組み付ける時点において、その都度調整する方法として説明したが、結像レンズにおける倍率色収差は、同等の結像レンズであればほぼ等しくなるため、組み付け時においては、レンズの特性によって予め明確化されている倍率色収差の影響から算出したセンサユニットの取り付け角度に固定することによって、組み付けの時間を短縮するようにして、完全ではないが充分な色ずれを補正することができる。
以上においては、結像レンズＳＵの倍率色収差についてのみ説明したが、以下においては、軸上色収差の影響とあわせての色ずれ補正について説明する。
当然のことであるが、上述した色ずれの補正方法は、各ラインセンサＲＬ、ＧＬ、ＢＬの受光位置を前後させているため、各色に対する像面の特性が変化する。
例えば、図５のような像面をもつ結像レンズを考える。図５は、各ラインセンサＲＬ、ＧＬ、ＢＬで評価した像面の解像度をあらわすＭＴＦ（modulation transfer function：変調伝達関数）と像面位置からのずれ量（デフォーカス）との関係を模式的にあらわしたものでる。図５においては、ＭＴＦの値が高いほど、解像度が優れていること示しているが、色収差の影響によって、緑色のＭＴＦ特性に対し、赤色はプラス方向、青色はマイナス方向にずれた位置で最良な像面が得られている。したがって、カラー原稿読取装置として使用可能な範囲はこれらの曲線が重なり合っている範囲ＡＤである。
【００２３】
このとき、先に示した色ずれの補正方法のように、赤色ラインセンサRLを結像レンズILから遠ざけると、図５上では、赤色ラインセンサの位置はプラス（＋）方向にシフトしていく、つまり、赤色のラインセンサの位置はMTF特性の最大位置の方に近づく。
また、青色ラインセンサBLも結像レンズにILに近づけることにより、青色ラインセンサの位置は、マイナス（−）方向にシフトし、青色のラインセンサの位置もMTF特性の最大位置のほうに近づく。逆に言えば、デフォーカスが零の位置を各色のラインセンサの位置であると考えれば、図１のようにセンサユニットを傾けていくと、擬似的に図７のように赤色のMTF特性は、デフォーカスのマイナス（−）方向にシフトしていき、青色のMTF特性は、デフォーカスのプラス（＋）方向にシフトしてくると考えることができる。
このことから、センサユニットＳＵを傾けて色ずれを補正するためには、緑色に対する赤色の色ずれΔＲＧの符号が、マイナスのときは、赤色のＭＴＦ特性の最大位置は、緑色のＭＴＦ特性の最大位置に対してプラス側にある方がよい。同様に緑色に対する青色の色ずれΔＢＧの符号がプラスのときは、青色のＭＴＦ特性の最大位置は、緑色のＭＴＦ特性の最大位置に対してマイナス側にあるほうがよい。この両者の関係を満たすようにすれば、色ずれの補正方向と、カラー原稿読取装置として使用可能な範囲が広がる方向とが一致することから、色ずれ補正において都合がよい状態であると言うことができる。逆に、倍率色収差の色ずれの方向と軸上色収差の色ずれ方向が同符号であるとすると、倍率色収差を補正したとしても、図６のように、カラー原稿読取装置として使用可能な範囲が狭くなってしまう。
【００２４】
しかしながら、かならずしも両方を満たしていなくても、片一方の色についてだけ満たしていれば、色ずれ補正は、例えば赤色のＭＴＦのフォーカス位置と青色のＭＴＦのフォーカス位置を置換することとほぼ同義であるので、使用可能な範囲の低減を気にする必要はない。
以上の説明においては、倍率の色収差の大小関係が、赤色、緑色、青色と波長の大小関係に対応する関係があるものとして説明してきたが、これらの関係は、レンズ設計によって変化させることができるため、例えば、結像位置に、緑色、赤色、青色という順序の大小関係がある場合は、その順序に対応させてラインセンサの配列を緑色ラインセンサ、赤色ラインセンサ、青色ラインセンサの順序で配置すれば、上述の説明と同様にして色ずれを補正することが可能である。
また、倍率の色収差により、結像位置に、赤色、緑色、青色の順序の大小関係があり、図８のように、軸上の色収差が、倍率の色収差の中央である緑色に対して赤色と、青色のＭＴＦの最大値が、デフォーカス方向で３：１の位置関係にある場合であれば、赤色ラインセンサＲＬ、緑色ラインセンサＧＬ、青色ラインセンサＢＬの順序で配列してセンサユニットＳＵ′を構成し、それらのライン間隔を、赤色ラインセンサＲＬと緑色ラインセンサＧＬの間隔と、緑色ラインセンサＧＬと青色ラインセンサＢＬの間隔とが３：１の関係となるように配置することによって、色ずれの補正を行うと、赤と青のＭＴＦの最大位置は３：１の対応関係にて緑色のＭＴＦの最大位置に近付くので、良好な色ずれ補正を行うことが可能となる。
【００２５】
以下、上述した本発明の原理に基づくカラー原稿読取装置および画像形成装置を、実施の形態に基づき、図面を参照して詳細に説明する。
図１０は、本発明の第１の実施の形態に係るカラー原稿読取装置の要部の構成を模式的に示している。
図１０に示すカラー原稿読取装置は、コンタクトガラス１、第１の走行体３、第２の走行体４、縮小結像レンズ５およびセンサユニット６を有している。コンタクトガラス１は、原稿２を密着載置するための透明板からなり、このコンタクトガラス１の下部に、第１の走行体３、第２の走行体４、縮小結像レンズ５およびセンサユニット６等が配置されている。第１の走行体３は、ミラー３ａを有しており、図示３′の位置までを走行する。第２の走行体４は、第１ミラー４ａおよび第２ミラー４ｂを有しており、図示４′の位置までの間を走行する。縮小結像レンズ５は、図２３および図１における結像レンズＩＬに相当し、センサユニット６は、図２３、図１および図９におけるセンサユニットＳＵおよびＳＵ′に相当する。
【００２６】
原稿読取装置は、原稿２を照明する照明系（図示されていない）と、該照明系によって照明された原稿２の反射光を結像レンズ５へ導く１枚以上の折り返しミラー３ａ、４ａ、４ｂおよびミラー３ａ、４ａ、４ｂを介して原稿２からの反射光を縮小結像させる結像レンズ５を含む光学系と、結像レンズ５で結像された原稿像を赤色、緑色および青色の各色毎に光電変換する３列のラインセンサを含むセンサユニット６とを具備している。
原稿２は、コンタクトガラス１上に原稿面を当接して密着載置され、該原稿２は、コンタクトガラス１の下方に配置された照明系によって照明される。照明光の原稿２による反射光は、第１の走行体３のミラー３ａにより反射された後、さらに第２の走行体４の第１ミラー４ａと第２ミラー４ｂで順次反射され、縮小結像レンズ５に導かれる。この反射光は、結像レンズ５によって３つのラインセンサを配列してなるセンサユニット６上に結像される。原稿２の長手方向を読み取る場合には、第１の走行体３が速度Ｖで図示３′まで移動し、それと同時に第２の走行体４が、第１の走行体３の半分の速度１／２Ｖで、図示４′まで移動して、原稿全体を読み取るようにする。
【００２７】
光学系の光路中の任意の箇所に色分解機能を有して、この場合、赤色、緑色および青色の各色毎のラインセンサに結像入射することによって、原稿２のカラー原稿情報をフルカラーで読み取ることができる。この場合、赤色、緑色および青色の各色のフィルタを持ったＣＣＤ受光素子からなるラインセンサが３列に配列されている、いわゆる３ラインＣＣＤからなるセンサユニット６の受光面にカラー原稿を結像させることにより３原色に色分解する方法が用いられる。このカラー原稿読取装置において、上述したセンサユニット６の中央のラインセンサ近傍のラインセンサに平行な軸線を軸として回転傾斜角を調整することによる色ずれ補正方法を適用することによって、色ずれを適切に補正した画像を取得することが可能となる。
図１１は、本発明の第２の実施の形態に係る画像形成装置の要部の構成を模式的に示している。図１１の画像形成装置は図１０に示したカラー原稿読取装置を用いて複写機として構成した画像形成装置である。
【００２８】
図１１に示す画像形成装置は、いわゆるレーザプリンタを構成する画像形成部１００と、図１０に示したものと同様のカラー原稿読取装置２００とを備えている。すなわち、カラー原稿読取装置２００は、コンタクトガラス１、第１の走行体３、第２の走行体４、縮小結像レンズ５およびセンサユニット６を有している。コンタクトガラス１は、原稿２を密着載置するための透明板からなり、このコンタクトガラス１の下部に、第１の走行体３、第２の走行体４、縮小結像レンズ５およびセンサユニット６等が配置されている。第１の走行体３は、ミラー３ａを有しており、図示３′の位置までを走行する。第２の走行体４は、第１ミラー４ａおよび第２ミラー４ｂを有しており、図示４′の位置までの間を走行する。縮小結像レンズ５は、図２３および図１における結像レンズＩＬに相当し、センサユニット６は、図２３、図１および図９におけるセンサユニットＳＵおよびＳＵ′に相当する。カラー原稿読取装置２００は、原稿情報を読み取って原稿画像情報を示す電気信号として出力する。
画像形成部１００は、潜像担持体１１１、帯電ローラ１１２、現像装置１１３、転写ローラ１１４、クリーニング装置１１５、定着装置１１６、光走査装置１１７、カセット１１８、レジストローラ対１１９、給紙コロ１２０、搬送路１２１、排紙ローラ対１２２およびトレイ１２３を有している。
【００２９】
このような画像形成部１００において、潜像担持体１１１は、この場合、円筒状に形成された光導電性の感光体により構成している。潜像担持体１１１の周囲には、帯電ローラ１１２、現像装置１１３、転写ローラ１１４およびクリーニング装置１１５が配備されている。帯電ローラ１１２に代えて、コロナチャージャ等の帯電手段を用いることもできる。光走査装置１１７は、カラー原稿読取装置２００のセンサユニット６からの原稿画像情報を受けて、レーザビームＬＢによって、光走査を行って、帯電ローラ１１２と現像装置１１３との間で光書き込みによる露光を行う。カセット１１８には、記録媒体としての転写紙Ｐを格納しており、このカセット１１８から、転写紙Ｐを、給紙コロ１２０によって、１枚ずつ取り出して、レジストローラ対１１９を介して、転写ローラ１１４と潜像担持体１１１の間を通り、定着装置１１６を経て、搬送路１２１を通って、排紙ローラ対１２２まで搬送して、排紙ローラ対１２２からトレイ１２３上に排出する。
画像形成を行うときは、光導電性の感光体である潜像担持体１１１が、図示時計回りに等速回転駆動され、その表面が帯電ローラ１１２により均一に帯電され、光走査装置１１７のレーザビームＬＢの光書込による露光を受けて静電潜像が形成される。このように形成された静電潜像は、いわゆるネガ潜像であって画像部が露光されている。この静電潜像は現像装置１１３により反転現像され、潜像担持体１１１上にトナー画像が形成される。
【００３０】
転写紙Ｐを収納したカセット１１８は、画像形成装置１００本体に脱着可能であり、図示のように画像形成装置１００本体に装着された状態において、収納された転写紙Ｐの最上位の１枚が給紙コロ１２０によって取り出されて転写紙搬送系に給紙される。転写紙搬送系においては、給紙された転写紙Ｐが、その先端部がレジストローラ対１１９に捕らえられる。レジストローラ対１１９は、潜像担持体１１１上のトナー画像が転写位置へ移動するのにタイミングを合わせて、転写紙Ｐを転写部へ送り込む。送り込まれた転写紙Ｐは、転写部においてトナー画像と重ね合わせられ、転写ローラ１１４の作用によりトナー画像が転写紙Ｐに静電転写される。トナー画像が転写された転写紙Ｐは定着装置１１６へ送られ、定着装置１１６において画像が定着され、搬送路１２１を通って、排紙ローラ対１２２によりトレイ１２３上に排出される。トナー画像が、転写紙Ｐに転写された後の像担持体１１１の表面は、クリーニング装置１１５によりクリーニングされ、残留トナーや紙粉等が除去される。すなわち、潜像担持体１１１は、光導電性の感光体であり、その均一帯電と光走査とにより静電潜像が形成され、形成された静電潜像がトナー画像として可視化され、転写紙Ｐに転写される。
【実施例】
【００３１】
次に、上述した本発明の第１の実施の形態のカラー原稿読取装置、すなわち第２の実施の形態におけるカラー原稿読取装置２００において縮小結像レンズ５として採用し得る結像レンズＩＬの光学系およびその色収差の補正についての具体的な実施例を詳細に説明する。本発明に係る光学系の実施例においては、結像レンズＩＬの構成およびその具体的な数値例を示している。
なお、この実施例においては、非球面は、いわゆるモールド非球面レンズのように、各レンズ面を直接非球面とするものとして説明しているが、それと同等の非球面を、球面レンズのレンズ面に非球面を形成する樹脂薄膜を敷設して得る、いわゆるハイブリッドレンズ形式の非球面レンズを構成しても良い。
【００３２】
実施例における記号の意味は、以下の通りである。
ｆ：全系の焦点距離
Ｆ：Ｆナンバ
ｍ：倍率
Ｙ：最大物体高
ω：半画角
Ｒ：曲率半径
Ｄ：面間隔
ｎｄ：屈折率（ｄ線）
νｄ：アッベ数
ｎｅ：屈折率（ｅ線）
ｎｇ：屈折率（ｇ線）
ｎＦ：屈折率（Ｆ線）
ｎＣ：屈折率（Ｃ線）
Ｋ：非球面の円錐定数
Ａ４：４次の非球面係数
Ａ６：６次の非球面係数
Ａ８：８次の非球面係数
Ａ１０：１０次の非球面係数
但し、ここで用いられる非球面は、近軸曲率半径の逆数（近軸曲率）をＣ、光軸からの高さをＨとするとき、次式で定義される。
【００３３】
【数２】
2006222917.tif 000004
【００３４】
なお、長さの次元を持つ量の単位はｍｍである。
図１２は、本発明の一実施例に係る結像レンズＩＬの模式的な構成を示している。
図１２に示す画像読取レンズＩＬは、４群５枚構成であり、第１レンズＬ１、第２レンズＬ２、第３レンズＬ３、第４レンズＬ４、第５レンズＬ５、絞りＦＡ、コンタクトガラスＣＧおよびＣＣＤカバーガラスＣＣを具備している。コンタクトガラスＣＧは、図１０におけるコンタクトガラス１に相当し、ＣＣＤカバーガラスＣＣは、センサユニット６（図２３および図１等におけるセンサユニットＳＵ）のカバーガラスに相当する。この場合、第１レンズＬ１〜第３レンズＬ３は、第１のレンズ群である前群ＧＦを構成し、第４レンズＬ４および第５レンズＬ５は、第２のレンズ群である後群ＧＲを構成しており、それぞれ各群毎に共通の保持部材（図示されていない）によって支持される。なお、絞りＦＡは、この場合、後群ＧＲの保持部材によって、後群ＧＲを構成するレンズＬ４およびＬ５と一体に保持されている。図１２には、主要な光学面の面番号も示している。
【００３５】
図１２において、画像読取レンズの光学系を構成する各光学要素は、物体側から像面側に向かって、順次、例えば原稿画像物体が載置されるコンタクトガラスＣＧ、第１レンズＬ１、第２レンズＬ２、第３レンズＬ３、絞りＦＡ、第４レンズＬ４、第５レンズＬ５およびＣＣＤカバーガラスＣＣの順で配列されており、ＣＣＤカバーガラスＣＣの背後のＣＣＤラインセンサの入力面上に結像される。
第１レンズＬ１は、物体側に凸に形成された正メニスカスレンズ、第２レンズＬ２は、物体側に凸に形成された、正メニスカスレンズ、第３レンズＬ３は、像側に強い凹面を向けた負メニスカスレンズであり、これら第２レンズＬ２および第３レンズＬ３は、密接して貼り合わせられて一体に接合され、接合レンズ（Ｌ２／３）を形成している。これら第１レンズＬ１〜第３レンズＬ３によって、前群ＧＦを構成している。第４レンズＬ４は、像側に凸に形成され、像側の面を非球面とした負メニスカスレンズであり、第５レンズＬ５は、像側に強い凸面を向けて像側に凸に形成された正メニスカスレンズであり、これら第４レンズＬ４および第５レンズＬ５によって、後群ＧＲを構成している。
まず、レンズ数値例であるが、全系の焦点距離ｆ，ＦナンバＦ，倍率ｍ，最大物体高Ｙそして半画角ωが、それぞれｆ＝４５．３２１，Ｆ＝４．４９，ｍ＝０．１１１０２，Ｙ＝１５２．４そしてω＝１８．６゜であり、各光学面の特性は、次表の通りである。
【００３６】
【表１】
2006222917.tif 000005
表１において面番号に「＊（アスタリスク）」を付して示した第８面が非球面であり、非球面の（１）式におけるパラメータは、次表の通りである。
【００３７】
【表２】
2006222917.tif 000006
【００３８】
図１３の収差図に示した波長は、設計基準波長（光線１）と各ラインセンサＢＬ、ＲＬ、ＧＬに対応する波長（光線２〜４）について作図している。本来ラインセンサは、十ｎｍ〜数十ｎｍ程度の波長帯域内の光を信号として取り出すことが可能であるが、ここでは、説明の明確化のために最も感度の高い波長のみを抽出して計算している。収差図から、球面収差図の軸上の値を拡大すると図１４に示すようになり、緑色に対する赤色の値は、プラスのデフォーカス方向にあることが分かる。また横収差図から、最大像高を拡大してみると、図１５に示すようになり、緑色に対する赤色の瞳中心光線の値は、マイナス方向に発生している（請求項５を満足している）。
このレンズデータにおける色ずれ量ΔＲＧおよびΔＢＧを図１６に示したセンサユニットＳＵによる補正なしの状態で計算すると図１７のようになる。
ここで、センサユニットを傾斜させて補正する方法について説明する。
図１６においてそれぞれのラインセンサＲＬ〜ＧＬおよびＧＬ〜ＢＬ間の間隔をそれぞれＨ１およびＨ２とすると、図１８のようにセンサユニットを角度θだけ傾斜させたことによる各画素のデフォーカス量ΔＺ１およびΔＺ２は、
【００３９】
【数３】
2006222917.tif 000007
【００４０】
とおくことができる。例として、各ラインセンサ間の間隔Ｈ１およびＨ２がいずれも８画素ピッチであり、画素ピッチｐが４．７μｍであるとすると、
【００４１】
【数４】
2006222917.tif 000008
【００４２】
となる。
図１９は、傾斜角θ＝８°だけ傾けたときの色ずれ量の計算結果である。図１７の補正なしの時の色ずれ量の最大値は約２．６μｍであるのに対し、図１９のような補正を行うことで、色ずれ量の最大値を、約１．４μｍまで低減することができる。
さらに、このレンズデータにおける上述した補正についての補正なしのときと、補正ありのときのＭＴＦ特性をそれぞれ図２０と、図２１に示す。図２０および図２１は、波長６１５ｎｍ（赤色）、５７０ｎｍ（緑色）、４７０ｎｍ（青色）それぞれにおける光軸方向のデフォーカス量に対するＭＴＦ値を、像高０％（光軸上）、２５％、５０％、７５％、１００％で計算しプロットしたものである。補正なしのときＭＴＦ特性（図２０）において、使用可能なＭＴＦ値を５０％であると仮定すると、その深度（図中矢印の幅）は約５７μｍとなっている。そして、傾斜角θ＝８°の場合のＭＴＦ特性値（図２１）では、使用可能なＭＴＦ値を満足する深度は、６３μｍとなり、傾けることにより深度が減少することなく、補正前よりも深度が広がっている。深度が広がるということは、組み立て時の調整の余裕が広がることになるので、原稿読取装置としての仕様を一層満足し易くなる。なお、上述においては使用可能なＭＴＦ値を５０％として説明したが、これはあくまでも仮の値であり、カラー原稿読取装置の規格値によって変化する値であるため、５０％に限らず種々の値をとり得ることはいうまでもない。
【図面の簡単な説明】
【００４３】
【図１】本発明の第１の実施の形態に係るカラー原稿読取装置の原理を説明するための結像レンズとセンサユニットの構成を模式的に示す図である。
【図２】図１のセンサユニットの傾斜を説明するための図である。
【図３】図１のセンサユニットの傾斜による色収差補正を説明するための図である。
【図４】図１のセンサユニットの傾斜による色収差補正に係る画素ピッチを説明するための図である。
【図５】図１のセンサユニットの傾斜による色収差補正を説明するための解像度−デフォーカス特性図である。
【図６】図１のセンサユニットの傾斜による色収差補正を説明するための他の解像度−デフォーカス特性図である。
【図７】図１のセンサユニットの傾斜による色収差補正を説明するためのその他の解像度−デフォーカス特性図である。
【図８】センサユニットの傾斜による色収差補正を説明するためのさらにその他の解像度−デフォーカス特性図である。
【図９】図８の色収差補正に係るセンサユニットの模式図である。
【図１０】本発明の第１の実施の形態に係るカラー原稿読取装置を説明するための要部の構成を模式的に示す図である。
【図１１】本発明の第２の実施の形態に係る画像形成装置を説明するための要部の構成を模式的に示す図である。
【図１２】本発明の第１の実施の形態に係る一実施例の結像レンズの構成を模式的に示す図である。
【図１３】図１２の結像レンズに係る各種収差特性を示す収差図である。
【図１４】図１３の収差図における収差特性をさらに詳細に説明するための図である。
【図１５】図１３の収差図における収差特性をさらに詳細に説明するための他の図である。
【図１６】図１２の実施例に係るセンサユニットの構成を示す模式図である。
【図１７】図１２の実施例に係る非補正時の物体高に対する色ずれ特性を示す図である。
【図１８】図１２の実施例に係る色収差補正のためのセンサユニットの傾斜を示す模式図である。
【図１９】図１２の実施例に係る補正時の物体高に対する色ずれ特性を示す図である。
【図２０】図１２の実施例に係る非補正時の詳細な解像度−デフォーカス特性を示す図である。
【図２１】図１２の実施例に係る補正時の詳細な解像度−デフォーカス特性を示す図である。
【図２２】本発明の原理に関連する像高に対する色ずれ特性を示す図である。
【図２３】本発明の原理に関連する調整時の測定系の構成を説明するための模式図である。
【図２４】本発明に係るセンサユニットの構成を示す模式図である。
【図２５】本発明の原理に関連する線画像の重心の算出を説明するための模式的構成図である。
【図２６】本発明の原理に関連する線画像の重心の算出を説明するための図である。
【符号の説明】
【００４４】
１，ＣＧ  コンタクトガラス
３  第１の走行体
４  第２の走行体
５  縮小結像レンズ
６，ＳＵ，ＳＵ′  センサユニット
３ａ  ミラー
４ａ  第１ミラー
４ｂ  第２ミラー
ＩＬ  結像レンズ
２００  カラー原稿読取装置
１００  画像形成部
１１１  潜像担持体
１１２  帯電ローラ
１１３  現像装置
１１４  転写ローラ
１１５  クリーニング装置
１１６  定着装置
１１７  光走査装置
１１８  カセット
１１９  レジストローラ対
１２０  給紙コロ
１２１  搬送路
１２２  排紙ローラ対
１２３  トレイ
ＦＡ  絞り
ＣＣ  ＣＣＤカバーガラス
Ｌ１〜Ｌ５  レンズ
ＧＦ  前群
ＧＲ  後群
【図１】
2006222917.tif 000009
【図２】
2006222917.tif 000010
【図３】
2006222917.tif 000011
【図４】
2006222917.tif 000012
【図５】
2006222917.tif 000013
【図６】
2006222917.tif 000014
【図７】
2006222917.tif 000015
【図８】
2006222917.tif 000016
【図９】
2006222917.tif 000017
【図１０】
2006222917.tif 000018
【図１１】
2006222917.tif 000019
【図１２】
2006222917.tif 000020
【図１６】
2006222917.tif 000021
【図１８】
2006222917.tif 000022
【図２２】
2006222917.tif 000023
【図２３】
2006222917.tif 000024
【図２４】
2006222917.tif 000025
【図２５】
2006222917.tif 000026
【図２６】
2006222917.tif 000027
【図１３】
2006222917.tif 000028
【図１４】
2006222917.tif 000029
【図１５】
2006222917.tif 000030
【図１７】
2006222917.tif 000031
【図１９】
2006222917.tif 000032
【図２０】
2006222917.tif 000033
【図２１】
2006222917.tif 000034